(57)【要約】  【課題】被監視者が何処にあっても、監視者端末において被監視者撮影する撮影画像を取得することが可能なパーソナルコンテンツデリバリ方法、エッジノード及びパーソナルコンテンツデリバリシステム装置並びに処理プログラムの提供。  【解決手段】ＩＰ網Ｎ１に接続されてそれぞれバーチャル監視サーバ処理部１１を有した複数のエッジノード１ａ，１ｂ，１ｃ，…と、エッジノード１ａ，１ｂ，１ｃ，…を介してＩＰ網Ｎ１に接続された監視者端末２ａ，２ｂと被監視者端末３と、ＩＰ網Ｎ１の任意の領域に配置されて被監視者端末３から通知された位置情報を蓄積する位置情報サーバ４と、エッジノード１ａ，１ｂ，１ｃ，…に接続可能に構成されたカメラ５とを有する特徴的構成手段の採用。  【選択図】図１
2005165952.tif 000002
【特許請求の範囲】
【請求項１】
ＩＰ網に接続されてそれぞれ仮想サーバを有した複数のエッジノードと、前記エッジノードを介して前記ＩＰ網に接続された監視者端末及び被監視者端末と、前記ＩＰ網の任意の領域に配置されて前記被監視者端末から通知された位置情報を蓄積する位置情報サーバと、前記エッジノードに接続可能に構成されたカメラと、を有して構築されたネットワークシステムに適用される前記カメラにより撮影された撮影画像を前記監視者端末に転送するためのパーソナルコンテンツデリバリ方法であって、
予め設定された時間毎に、前記被監視者端末において当該被監視者端末の位置情報を測定して、当該位置情報と当該位置情報を測定した時刻とを前記エッジノードを介して前記位置情報サーバに登録する過程を常時実施して行き、
前記監視者端末において、前記仮想サーバに、任意の時刻における前記被監視者端末の前記撮影画像の要求を伴うアクセスを行なう過程を実施したときには、
前記位置情報サーバにおいて、前記仮想サーバから転送した当該アクセスの認証を行う過程と、
当該アクセスが正当なものであった場合に、前記エッジノードに、前記被監視者端末の前記監視者端末から任意に指定された前記時刻における前記位置情報と、当該位置情報に基づき予め設定されたエリア内に含まれる前記カメラの配置情報とを通知する過程と、
前記エッジノードにおいて、
前記被監視者端末の前記位置情報と前記カメラの前記配置情報とを対応させたマッピング情報を作成して前記監視者端末に通知する過程と、
折り返し、当該監視者端末から当該マッピング情報に基づき任意に指定された前記カメラの指定を受信する過程と、
事前に蓄積した前記カメラの配置情報と当該カメラの前記ＩＰ網におけるＩＰアドレスの対比テーブルに基づき、当該カメラの前記ＩＰアドレスを特定して当該カメラに前記監視者端末から任意に指定された前記時刻における前記撮影画像を要求する過程と、
前記カメラから当該撮影画像を受信して当該撮影画像を前記監視者端末に転送する過程と、を順次実施する、
ことを特徴とするパーソナルコンテンツデリバリ方法。
【請求項２】
前記位置情報サーバの、前記仮想サーバから転送した前記アクセスの認証を行う過程は、
予め、当該位置情報サーバ内に、前記被監視者端末から、当該被監視者端末に基づく前記撮影画像の転送先として１以上の前記監視者端末を登録する過程を実施しておき、
前記被監視者端末を指定して前記アクセスを行なった前記監視者端末の前記転送先としての登録の有無を確認する過程を実施する、
ことを特徴とする請求項１に記載のパーソナルコンテンツデリバリ方法。
【請求項３】
前記エッジノードの、前記撮影画像を前記監視者端末に転送する過程は、
予め、前記監視者端末から当該エッジノードに前記被監視者端末に基づく前記撮影画像中の異常事態通知を行うよう設定されたときには、
前記監視者端末に転送する前記撮影画像に対して所定の画像解析を行う過程と、
当該画像解析により前記撮影画像中から事前に設定された異常を検出する過程と、
当該異常の検出を前記監視者端末に通知する過程と、を順次実施する、
ことを特徴とする請求項１又は２に記載のパーソナルコンテンツデリバリ方法。
【請求項４】
前記エッジノードの、前記被監視者端末から前記位置情報を取得する過程は、
前記被監視者端末において、ＧＰＳを利用した前記位置情報の計測を行なう過程を実施し、
当該ＧＰＳを利用した前記位置情報の計測に失敗したときには、
前記被監視者端末から前記エッジノードに電波センシングによる前記位置情報の計測を要求する過程と、
前記エッジノードにおいて、前記被監視者端末が具備する電波センサをセンシングすることにより検出して、当該被監視者端末の前記位置情報を計測する過程を実施して、
引続き、計測した当該位置情報を前記エッジノードに通知する過程を実施する、
ことを特徴とする請求項１、２又は３に記載のパーソナルコンテンツデリバリ方法。
【請求項５】
前記カメラから前記撮影画像を受信して前記撮影画像を前記監視者端末に転送する過程は、
前記エッジノードにおいて、
前記監視者端末に転送する前記撮影画像を保存する過程を実施するとともに、
常時、当該エッジノードが保存する前記撮影画像の保存情報をステータス情報として更新し、更新した当該ステータス情報を他の前記エッジノードに通知する過程を実施しておき、
前記監視者端末から要求された前記撮影画像が前記ステータス情報から前記他のエッジノードに保存されていることを確認したときには、当該他のエッジノードから当該撮影画像を受信して、当該撮影画像を前記監視者端末に転送する過程に代替される、
ことを特徴とする請求項１、２、３又は４に記載のパーソナルコンテンツデリバリ方法。
【請求項６】
被監視者端末の位置情報を蓄積する位置情報サーバを接続するＩＰ網上の任意の領域に複数配置されて、当該ＩＰ網と移動通信網との間のデータ通信を中継転送することにより、任意の情報通信端末からなる監視者端末と移動通信端末からなる被監視者端末と別途接続された撮影画像を出力するカメラとを相互に接続するネットワーク接続部と、当該ネットワーク接続部と接続されて前記監視者端末からの所定のサーバに対するアクセスをインターセプトする仮想サーバとを有するエッジノードであって、
前記位置情報サーバから通知された前記被監視者端末の時刻毎の前記位置情報と前記カメラの配置情報とを蓄積する位置情報メモリ部と、
当該カメラの前記ＩＰ網上における接続／切断に伴うＩＰアドレスの変化を認識し、接続されたカメラアドレステーブル部に当該カメラの配置情報と当該ＩＰアドレスとの組を更新可能に格納するステータス管理部と、
当該ステータス管理部から通知された前記ＩＰアドレスにより特定する前記カメラの起動を行なうセッション制御部と、
前記仮想サーバであって、前記監視者端末から任意の時刻における前記被監視者端末の前記位置情報の要求を伴う前記アクセスを受信するとともに当該アクセスを前記位置情報サーバに転送して、当該位置情報サーバから前記被監視者端末の前記監視者端末から任意に指定された前記時刻における前記位置情報と前記カメラの前記配置情報とを受信し前記位置情報メモリ部に蓄積して、当該位置情報と当該配置情報とを対応させたマッピング情報を作成して前記監視者端末に通知し、当該監視者端末で受信した当該マッピング情報に基づく前記カメラの指定に従い、前記セッション制御部に基づき受信した前記撮影画像を接続された画像メモリ部に保存し、当該画像メモリ部の前記撮影画像を前記監視者端末に転送するバーチャル監視サーバ処理部と、を有して構成される、
ことを特徴とするエッジノード。
【請求項７】
前記ステータス管理部は、
前記バーチャル監視サーバ処理部における処理を監視し、前記画像メモリ部に前記撮影画像が保存されたときには、当該撮影画像毎に対応する撮影の前記時刻と前記カメラの配置とを含むステータス情報を保持するとともに、他の前記エッジノードに更新した当該ステータス情報を通知する一方、当該他のエッジノードから当該ステータス情報を受信したときには、当該他のエッジノード毎に当該ステータス情報を保持するよう機能構成される一方、
前記セッション制御部は、
前記バーチャル監視サーバ処理部において前記監視者端末から前記撮影画像の要求を伴う前記アクセスを受信したときには、前記ステータス管理部から当該撮影画像に対応する前記ステータス情報を確認して、当該ステータス情報に基づき当該撮影画像を保存する前記他のエッジノードから当該監視者端末への転送を可能に前記撮影画像取得におけるセッションを制御するよう機能構成される、
ことを特徴とする請求項６に記載のエッジノード。
【請求項８】
前記ステータス管理部は、
前記カメラのＩＰアドレスを認識したときに、具備する前記カメラアドレステーブル部の前記更新とともに、他の前記エッジノードと前記位置情報サーバに当該ＩＰアドレスの更新を通知する一方、当該他のエッジノードから当該ＩＰアドレスが通知されたときには、前記カメラアドレステーブル部を更新可能に機能構成される、
ことを特徴とする請求項６又は７に記載のエッジノード。
【請求項９】
前記エッジノードは、
前記セッション制御部に、前記監視者端末から事前に前記被監視者端末に基づく前記撮影画像中の異常事態通知が設定されたときに、当該セッション制御部から異常事態解析命令を受信し、前記画像メモリ部内の前記撮影画像に対して所定の画像解析を行い、当該画像解析により当該撮影画像中から事前に設定された異常を検出するコンテンツ解析部を具備するとともに、
前記セッション制御部は、
前記コンテンツ解析部にて前記異常を検出したときには、前記バーチャル監視サーバ処理部を介して前記監視者端末に当該異常の検出を通知するよう機能構成される、
ことを特徴とする請求項６、７又は８に記載のエッジノード。
【請求項１０】
前記コンテンツ解析部は、
前記画像解析の結果、異常なしの判定をした前記撮影画像について、前記画像メモリ部から削除するよう機能構成される、
ことを特徴とする請求項９に記載のエッジノード。
【請求項１１】
前記画像メモリ部は、
前記バーチャル監視サーバ処理部にて受信した前記撮影画像を、一時的にバッファ、メモリして、当該バーチャル監視サーバ処理部から前記カメラにおける最新の前記撮影画像として読み出し可能な画像バッファメモリ部と、
当該画像バッファメモリ部から前記撮影画像を読み出して、撮影された前記時刻に対応させて当該撮影画像を保存し、前記バーチャル監視サーバ処理部から前記カメラにより撮影された前記時刻における前記撮影画像として読み出し可能なコンテンツメモリ部と、を具備する、
ことを特徴とする請求項６、７、８、９又は１０に記載のエッジノード。
【請求項１２】
前記エッジノードは、
前記バーチャル監視サーバ処理部において前記被監視者端末から当該被監視者端末の前記位置情報の測定の要求を受信したときには、当該被監視者端末が具備する電波センサをセンシングすることにより当該位置情報を計測して、当該バーチャル監視サーバ処理部を介して当該位置情報を当該被監視者端末に通知する電波センシング部を具備する、
ことを特徴とする請求項６、７、８、９、１０又は１１に記載のエッジノード。
【請求項１３】
ＩＰ網に接続されてそれぞれ仮想サーバを有した複数のエッジノードと、前記エッジノードを介して前記ＩＰ網に接続された監視者端末及び被監視者端末と、前記ＩＰ網の任意の領域に配置されて前記被監視者端末から通知された位置情報を蓄積する位置情報サーバと、前記エッジノードに接続可能に構成されたカメラと、を有して構築されたネットワークシステムであって、
前記エッジノードは、
請求項６、７、８、９、１０、１１又は１２に記載のエッジノードである、
ことを特徴とするパーソナルコンテンツデリバリシステム装置。
【請求項１４】
前記位置情報サーバは、
前記被監視者端末から通知された前記位置情報を当該被監視者端末毎に通知された時刻とともに一括蓄積する位置情報メモリ部と、
前記カメラの配置情報を蓄積しておくカメラ配置メモリ部と、
前記エッジノードを介して前記監視者端末から通知された前記被監視者端末の前記位置情報を前記位置情報メモリ部から読み出し、当該位置情報とともに、当該位置情報に基づき予め設定されたエリア内に配置される前記カメラの前記配置情報を前記カメラ配置メモリ部から抽出して当該エッジノードに通知するメモリ管理部と、を具備する、
ことを特徴とする請求項１３に記載のパーソナルコンテンツデリバリシステム装置。
【請求項１５】
前記位置情報サーバは、
前記被監視者端末から事前に登録された当該被監視者端末の前記位置情報に基づく前記撮影画像の転送先として１以上の前記監視者端末の指定を保持する転送先メモリ部と、
当該転送先メモリ部を内蔵するとともに、前記監視者端末からの前記被監視者端末の前記位置情報の要求を伴う前記アクセスを前記エッジノードから転送し、当該アクセスの認証を、前記転送先メモリ部中から前記転送先として当該監視者端末の登録の有無を確認して、当該監視者端末の登録が存在した場合にのみ当該位置情報サーバへのアクセスを認める認証部と、を具備する、
ことを特徴とする請求項１３又は１４に記載のパーソナルコンテンツデリバリシステム装置。
【請求項１６】
前記被監視者端末は、
ＧＰＳを利用した前記位置情報の測定を行なうＧＰＳセンサを具備する、
ことを特徴とする請求項１３、１４又は１５に記載のパーソナルコンテンツデリバリシステム装置。
【請求項１７】
前記監視者端末は、
前記エッジノードから通知された前記被監視者端末の前記位置情報を予め設定された経路情報と比較し、当該経路情報から外れたときに当該監視者端末を利用するユーザに当該被監視者端末の前記位置情報の異常を通報する機能手段を具備する、
ことを特徴とする請求項１３、１４、１５又は１６に記載のパーソナルコンテンツデリバリシステム装置。
【請求項１８】
前記被監視者端末は、
電波センシングによる電波を受信して、当該被監視者端末の前記位置情報を測定する電波センサを具備する、
ことを特徴とする請求項１３、１４、１５、１６又は１７に記載のパーソナルコンテンツデリバリシステム装置。
【請求項１９】
共にコンピュータの基本機能を具備するとともに、ＩＰ網に接続されてそれぞれ仮想サーバを有した複数のエッジノードと、当該エッジノードを介して前記ＩＰ網に接続された監視者端末及び被監視者端末と、当該ＩＰ網の任意の領域に配置されて前記被監視者端末から通知された位置情報を蓄積する位置情報サーバと、前記エッジノードに接続可能に構成されたカメラと、を有して構築されたネットワークシステムに適用されるパーソナルコンテンツデリバリ処理プログラムであって、
前記被監視者端末に、
予め設定された時間毎に、当該被監視者端末の位置情報を測定させる手順と、
前記位置情報と当該位置情報を測定した時刻とを前記エッジノードを介して前記位置情報サーバに登録させる手順と、を常に順次実行させて行き、
前記監視者端末に、
前記仮想サーバに、任意の時刻における前記被監視者端末の前記位置情報の要求を伴うアクセスを実施させる手順を実行させたときには、
前記位置情報サーバに、
前記エッジノードから転送した当該アクセスの認証を実施させる手順と、
当該アクセスが正当なものであった場合に、前記エッジノードに、前記被監視者端末の前記監視者端末から任意に指定された前記時刻における前記位置情報と、当該位置情報に基づき予め設定されたエリア内に含まれる前記カメラの配置情報とを通知させる手順と、
前記エッジノードに、
前記被監視者端末の前記位置情報と前記カメラの配置情報とを対応させたマッピング情報を作成して前記監視者端末に通知させる手順と、
当該監視者端末から当該マッピング情報に基づき任意に指定された前記カメラの指定を受信させる手順と、
事前に蓄積した前記カメラの配置情報と当該カメラの前記ＩＰ網におけるＩＰアドレスの対比テーブルに基づき、当該カメラの前記ＩＰアドレスを特定して当該カメラに前記監視者端末から任意に指定された前記時刻における前記撮影画像を要求させる手順と、
前記カメラから当該撮影画像を受信して当該撮影画像を前記監視者端末に転送させる手順と、をそれぞれ順次実行させる、
ことを特徴とするパーソナルコンテンツデリバリ処理プログラム。
【請求項２０】
前記カメラから前記撮影画像を受信して前記撮影画像を前記監視者端末に転送する手順は、
前記エッジノードに、
前記監視者端末に転送する前記撮影画像を保存させる手順を実行させるとともに、
常時、前記エッジノードに保存された前記撮影画像の保存情報をステータス情報として更新、更新した当該ステータス情報を他の前記エッジノードに通知させる手順を実行させておき、
前記監視者端末から要求された前記撮影画像が前記ステータス情報から前記他のエッジノードに保存されていることを確認したときには、当該他のエッジノードから当該撮影画像を受信して、当該撮影画像を前記監視者端末に転送させる手順に代替実行される、
ことを特徴とする請求項１９に記載のパーソナルコンテンツデリバリ処理プログラム。
【発明の詳細な説明】
【技術分野】
【０００１】
本発明は、パーソナルコンテンツデリバリ方法、エッジノード及びパーソナルコンテンツデリバリシステム装置並びに処理プログラムに関し、詳しくは、ＩＰ（Internet Protocol）網に接続されてそれぞれ仮想サーバを有した複数のエッジノードと、このエッジノードを介してＩＰ網に接続された監視者端末及び被監視者端末と、ＩＰ網の任意の領域に配置されて被監視者端末から通知された位置情報を蓄積する位置情報サーバと、このエッジノードに接続可能に構成されたカメラと、を有して構築されたネットワークシステムに適用され、カメラにより撮影された撮影画像を監視者端末に転送するためのパーソナルコンテンツデリバリ方法、及びその実施に直接使用されるエッジノード及びパーソナルコンテンツデリバリシステム装置並びに処理プログラムに係わる。
【背景技術】
【０００２】
近年、ポータルサーバ等により特定カメラの映像である撮影画像を公開するサービスが提供されており、監視者により、特定の場所に設置された固定カメラから所在が特定できている被監視者をモニタすることが可能であった。
【０００３】
ここで、例えば、現場の作業員とセンタ内の人間がリアルタイムなカメラ画像を共有し、互いに協力しながら効率的な情報の取得をサーバを用いて実現する技術として以下に示す特許文献１が、また、監視者が画面上に配置を明示されたカメラを指定してカメラ画像を監視して、監視者が複数のカメラの監視順序を指定して自動的に巡回、切替表示可能とする技術として以下に示す特許文献２が知られている。
【０００４】
【特許文献１】特開２００３−１９９０７０号公報
【特許文献２】特開２００１−２２４０１２号公報
【発明の開示】
【発明が解決しようとする課題】
【０００５】
近年、公共的な情報通信サービスとして、従来の電話やインターネットのサービスが普及しているが、国内化社会への移行に伴い社会安全性の確保の必要性は一層高まりを見せており、子供や老人を常時監視モニターし、我が子や老いた親を画像モニタしようというニーズは増大しており、何処にいるかわからない特定個人に関する画像やリアルタイム撮影画像を提供する公共サービスに対する需要は非常に高くなることが予想される。
【０００６】
しかしながら、上記特許文献１に記載の技術は、現場もセンタも固定されたものであり、被監視者の所在が不明な場合には、その被監視者の位置を的確に捉えた撮影画像を取得することはできなかった。一方、上記特許文献２に記載の技術は、カメラの監視場所が不明な場合、適切なカメラを指定することができず、やはり所望の撮影画像を取得することは困難であった。
【０００７】
したがって、従来、利用者が必要な被写体の存在場所をシステムにより特定して所望の撮影画像を得ることは困難であり、所在が不明な被監視者の撮影画像、あるいは、被監視者の持つ被監視者端末の撮影機能により撮影した撮影画像を監視者が自宅又は移動先において携帯端末等から取得することは不可能であった。
【０００８】
ここにおいて、本発明の解決すべき主要な目的は、次のとおりである。
【０００９】
即ち、本発明の第１の目的は、被監視者が何処にあっても、監視者端末において被監視者撮影する撮影画像を取得することが可能なパーソナルコンテンツデリバリ方法、エッジノード及びパーソナルコンテンツデリバリシステム装置並びに処理プログラムを提供せんとするものである。
【００１０】
本発明の第２の目的は、監視者端末において、被監視者の最新のリアルタイムの撮影画像及び指定する過去の時刻における撮影画像を任意に指定して取得することが可能なパーソナルコンテンツデリバリ方法、エッジノード及びパーソナルコンテンツデリバリシステム装置並びに制御プログラムを提供せんとするものである。
【００１１】
本発明の第３の目的は、被監視者の位置情報に基づき、予め設定された経路情報と比較あるいは撮影画像を解析することにより、被監視者の異常を検出して監視者に通知することが可能なパーソナルコンテンツデリバリ方法、エッジノード及びパーソナルコンテンツデリバリシステム装置並びに制御プログラムを提供せんとするものである。
【００１２】
本発明の他の目的は、明細書、図面、特に、特許請求の範囲の各請求項の記載から、自ずと明らかになろう。
【課題を解決するための手段】
【００１３】
まず、本発明方法においては、予め設定された時間毎に、被監視者端末において当該被監視者端末の位置情報を測定して、位置情報と当該位置情報を測定した時刻とをエッジノードを介して位置情報サーバに登録する過程を常時実施して行き、監視者端末において、仮想サーバに、任意の時刻における被監視者端末の撮影画像の要求を伴うアクセスを行なう過程を実施したときには、位置情報サーバにおいて、仮想サーバから転送した当該アクセスの認証を行う過程と、当該アクセスが正当なものであった場合に、エッジノードに、被監視者端末の監視者端末から任意に指定された時刻における位置情報と、当該位置情報に基づき予め設定されたエリア内に含まれるカメラの配置情報とを通知する過程と、エッジノードにおいて、被監視者端末の位置情報とカメラの配置情報とを対応させたマッピング情報を作成して監視者端末に通知する過程と、折り返し、当該監視者端末から当該マッピング情報に基づき任意に指定されたカメラの指定を受信する過程と、事前に蓄積したカメラの配置情報と当該カメラのＩＰ網におけるＩＰアドレスの対比テーブルに基づき、当該カメラの前記ＩＰアドレスを特定して当該カメラに監視者端末から任意に指定された時刻における撮影画像を要求する過程と、カメラから当該撮影画像を受信して当該撮影画像を監視者端末に転送する過程と、を順次実施する特徴的構成手法を講じる。
【００１４】
また、本発明エッジノードにおいては、位置情報サーバから通知された被監視者端末の時刻毎の位置情報とカメラの配置情報とを蓄積する位置情報メモリ部と、カメラのＩＰ網上における接続／切断に伴うＩＰアドレスの変化を認識し、接続されたカメラアドレステーブル部に当該カメラの配置情報と当該ＩＰアドレスとの組を更新可能に格納するステータス管理部と、ステータス管理部から通知されたＩＰアドレスにより特定するカメラの起動を行なうセッション制御部と、仮想サーバであって、監視者端末から任意の時刻における被監視者端末の位置情報の要求を伴うアクセスを受信するとともに当該アクセスを位置情報サーバに転送して、当該位置情報サーバから被監視者端末の監視者端末から任意に指定された時刻における位置情報とカメラの配置情報とを受信し前記位置情報メモリ部に蓄積して、当該位置情報と当該配置情報とを対応させたマッピング情報を作成して監視者端末に通知し、当該監視者端末で受信した当該マッピング情報に基づくカメラの指定に従い、前記セッション制御部に基づき受信した撮影画像を接続された画像メモリ部に保存し、当該画像メモリ部の撮影画像を監視者端末に転送するバーチャル監視サーバ処理部と、を有して構成される特徴的構成手段を講じる。
【００１５】
一方、本発明システム装置においては、ＩＰ網に接続されてそれぞれ仮想サーバを有した複数のエッジノードと、エッジノードを介してＩＰ網に接続された監視者端末と被監視者端末と、ＩＰ網の任意の領域に配置されて被監視者端末から通知された位置情報を蓄積する位置情報サーバと、エッジノードに接続可能に構成されたカメラと、を有して構築されたネットワークシステムであって、エッジノードに、本発明エッジノードを採用する特徴的構成手段を講じる。
【００１６】
他方、本発明プログラムにおいては、被監視者端末に、予め設定された時間毎に、当該被監視者端末の位置情報を測定させる手順と、位置情報と当該位置情報を測定した時刻とをエッジノードを介して位置情報サーバに登録させる手順と、を常に順次実行させて行き、監視者端末に、仮想サーバに、任意の時刻における被監視者端末の位置情報の要求を伴うアクセスを実施させる手順を実行させたときには、位置情報サーバに、エッジノードから転送した当該アクセスの認証を実施させる手順と、当該アクセスが正当なものであった場合に、エッジノードに、被監視者端末の監視者端末から任意に指定された時刻における位置情報と、当該位置情報に基づき予め設定されたエリア内に含まれるカメラの配置情報とを通知させる手順と、エッジノードに、被監視者端末の位置情報とカメラの配置情報とを対応させたマッピング情報を作成して監視者端末に通知させる手順と、当該監視者端末から当該マッピング情報に基づき任意に指定されたカメラの指定を受信させる手順と、事前に蓄積したカメラの配置情報と当該カメラのＩＰ網におけるＩＰアドレスの対比テーブルに基づき、当該カメラの前記ＩＰアドレスを特定して当該カメラに監視者端末から任意に指定された時刻における撮影画像を要求させる手順と、カメラから当該撮影画像を受信して当該撮影画像を監視者端末に転送させる手順と、をそれぞれ順次実行させる特徴的構成手順を講じる。
【００１７】
さらに、具体的詳細に述べると、当該課題の解決では、本発明が次に列挙する上位概念から下位概念に亙る新規な特徴的構成手法、手段又は手順を採用することにより、前記目的を達成するよう為される。
【００１８】
即ち、本発明方法の第１の特徴は、ＩＰ網に接続されてそれぞれ仮想サーバを有した複数のエッジノードと、前記エッジノードを介して前記ＩＰ網に接続された監視者端末及び被監視者端末と、前記ＩＰ網の任意の領域に配置されて前記被監視者端末から通知された位置情報を蓄積する位置情報サーバと、前記エッジノードに接続可能に構成されたカメラと、を有して構築されたネットワークシステムに適用される前記カメラにより撮影された撮影画像を前記監視者端末に転送するためのパーソナルコンテンツデリバリ方法であって、予め設定された時間毎に、前記被監視者端末において当該被監視者端末の位置情報を測定して、当該位置情報と当該位置情報を測定した時刻とを前記エッジノードを介して前記位置情報サーバに登録する過程を常時実施して行き、前記監視者端末において、前記仮想サーバに、任意の時刻における前記被監視者端末の前記撮影画像の要求を伴うアクセスを行なう過程を実施したときには、前記位置情報サーバにおいて、前記仮想サーバから転送した当該アクセスの認証を行う過程と、当該アクセスが正当なものであった場合に、前記エッジノードに、前記被監視者端末の前記監視者端末から任意に指定された前記時刻における前記位置情報と、当該位置情報に基づき予め設定されたエリア内に含まれる前記カメラの配置情報とを通知する過程と、前記エッジノードにおいて、前記被監視者端末の前記位置情報と前記カメラの前記配置情報とを対応させたマッピング情報を作成して前記監視者端末に通知する過程と、折り返し、当該監視者端末から当該マッピング情報に基づき任意に指定された前記カメラの指定を受信する過程と、事前に蓄積した前記カメラの配置情報と当該カメラの前記ＩＰ網におけるＩＰアドレスの対比テーブルに基づき、当該カメラの前記ＩＰアドレスを特定して当該カメラに前記監視者端末から任意に指定された前記時刻における前記撮影画像を要求する過程と、前記カメラから当該撮影画像を受信して当該撮影画像を前記監視者端末に転送する過程と、を順次実施してなる、パーソナルコンテンツデリバリ方法の構成採用にある。
【００１９】
本発明方法の第２の特徴は、上記本発明方法の第１の特徴における前記位置情報サーバの、前記仮想サーバから転送した前記アクセスの認証を行う過程を、予め、当該位置情報サーバ内に、前記被監視者端末から、当該被監視者端末に基づく前記撮影画像の転送先として１以上の前記監視者端末を登録する過程を実施しておき、前記被監視者端末を指定して前記アクセスを行なった前記監視者端末の前記転送先としての登録の有無を確認する過程を実施してなる、パーソナルコンテンツデリバリ方法の構成採用にある。
【００２０】
本発明方法の第３の特徴は、上記本発明方法の第１又は第２の特徴における前記エッジノードの、前記撮影画像を前記監視者端末に転送する過程を、予め、前記監視者端末から当該エッジノードに前記被監視者端末に基づく前記撮影画像中の異常事態通知を行うよう設定されたときには、前記監視者端末に転送する前記撮影画像に対して所定の画像解析を行う過程と、当該画像解析により前記撮影画像中から事前に設定された異常を検出する過程と、当該異常の検出を前記監視者端末に通知する過程と、を順次実施してなる、パーソナルコンテンツデリバリ方法の構成採用にある。
【００２１】
本発明方法の第４の特徴は、上記本発明方法の第１、第２又は第３の特徴における前記エッジノードの、前記被監視者端末から前記位置情報を取得する過程を、前記被監視者端末において、ＧＰＳを利用した前記位置情報の計測を行なう過程を実施し、当該ＧＰＳを利用した前記位置情報の計測に失敗したときには、前記被監視者端末から前記エッジノードに電波センシングによる前記位置情報の計測を要求する過程と、前記エッジノードにおいて、前記被監視者端末が具備する電波センサをセンシングすることにより検出して、当該被監視者端末の前記位置情報を計測する過程を実施して、引続き、計測した当該位置情報を前記エッジノードに通知する過程を実施してなる、パーソナルコンテンツデリバリ方法の構成採用にある。
【００２２】
本発明方法の第５の特徴は、上記本発明方法の第１、第２、第３又は第４の特徴における前記カメラから前記撮影画像を受信して前記撮影画像を前記監視者端末に転送する過程を、前記エッジノードにおいて、前記監視者端末に転送する前記撮影画像を保存する過程を実施するとともに、常時、当該エッジノードが保存する前記撮影画像の保存情報をステータス情報として更新し、更新した当該ステータス情報を他の前記エッジノードに通知する過程を実施しておき、前記監視者端末から要求された前記撮影画像が前記ステータス情報から前記他のエッジノードに保存されていることを確認したときには、当該他のエッジノードから当該撮影画像を受信して、当該撮影画像を前記監視者端末に転送する過程に代替されてなる、パーソナルコンテンツデリバリ方法の構成採用にある。
【００２３】
また、本発明エッジノードの第１の特徴は、被監視者端末の位置情報を蓄積する位置情報サーバを接続するＩＰ網上の任意の領域に複数配置されて、当該ＩＰ網と移動通信網との間のデータ通信を中継転送することにより、任意の情報通信端末からなる監視者端末と移動通信端末からなる被監視者端末と別途接続された撮影画像を出力するカメラとを相互に接続するネットワーク接続部と、当該ネットワーク接続部と接続されて前記監視者端末からの所定のサーバに対するアクセスをインターセプトする仮想サーバとを有するエッジノードであって、前記位置情報サーバから通知された前記被監視者端末の時刻毎の前記位置情報と前記カメラの配置情報とを蓄積する位置情報メモリ部と、当該カメラの前記ＩＰ網上における接続／切断に伴うＩＰアドレスの変化を認識し、接続されたカメラアドレステーブル部に当該カメラの配置情報と当該ＩＰアドレスとの組を更新可能に格納するステータス管理部と、当該ステータス管理部から通知された前記ＩＰアドレスにより特定する前記カメラの起動を行なうセッション制御部と、前記仮想サーバであって、前記監視者端末から任意の時刻における前記被監視者端末の前記位置情報の要求を伴う前記アクセスを受信するとともに当該アクセスを前記位置情報サーバに転送して、当該位置情報サーバから前記被監視者端末の前記監視者端末から任意に指定された前記時刻における前記位置情報と前記カメラの前記配置情報とを受信し前記位置情報メモリ部に蓄積して、当該位置情報と当該配置情報とを対応させたマッピング情報を作成して前記監視者端末に通知し、当該監視者端末で受信した当該マッピング情報に基づく前記カメラの指定に従い、前記セッション制御部に基づき受信した前記撮影画像を接続された画像メモリ部に保存し、当該画像メモリ部の前記撮影画像を前記監視者端末に転送するバーチャル監視サーバ処理部と、を有して構成されてなる、エッジノードの構成採用にある。
【００２４】
本発明エッジノードの第２の特徴は、上記本発明エッジノードの第１の特徴における前記ステータス管理部が、前記バーチャル監視サーバ処理部における処理を監視し、前記画像メモリ部に前記撮影画像が保存されたときには、当該撮影画像毎に対応する撮影の前記時刻と前記カメラの配置とを含むステータス情報を保持するとともに、他の前記エッジノードに更新した当該ステータス情報を通知する一方、当該他のエッジノードから当該ステータス情報を受信したときには、当該他のエッジノード毎に当該ステータス情報を保持するよう機能構成される一方、前記セッション制御部が、前記バーチャル監視サーバ処理部において前記監視者端末から前記撮影画像の要求を伴う前記アクセスを受信したときには、前記ステータス管理部から当該撮影画像に対応する前記ステータス情報を確認して、当該ステータス情報に基づき当該撮影画像を保存する前記他のエッジノードから当該監視者端末への転送を可能に前記撮影画像取得におけるセッションを制御するよう機能構成されてなる、エッジノードの構成採用にある。
【００２５】
本発明エッジノードの第３の特徴は、上記本発明エッジノードの第１又は第２の特徴における前記ステータス管理部が、前記カメラのＩＰアドレスを認識したときに、具備する前記カメラアドレステーブル部の前記更新とともに、他の前記エッジノードと前記位置情報サーバに当該ＩＰアドレスの更新を通知する一方、当該他のエッジノードから当該ＩＰアドレスが通知されたときには、前記カメラアドレステーブル部を更新可能に機能構成されてなる、エッジノードの構成採用にある。
【００２６】
本発明エッジノードの第４の特徴は、上記本発明エッジノードの第１、第２又は第３の特徴における前記エッジノードが、前記セッション制御部に、前記監視者端末から事前に前記被監視者端末に基づく前記撮影画像中の異常事態通知が設定されたときに、当該セッション制御部から異常事態解析命令を受信し、前記画像メモリ部内の前記撮影画像に対して所定の画像解析を行い、当該画像解析により当該撮影画像中から事前に設定された異常を検出するコンテンツ解析部を具備するとともに、前記セッション制御部が、前記コンテンツ解析部にて前記異常を検出したときには、前記バーチャル監視サーバ処理部を介して前記監視者端末に当該異常の検出を通知するよう機能構成されてなる、エッジノードの構成採用にある。
【００２７】
本発明エッジノードの第５の特徴は、上記本発明エッジノードの第４の特徴における前記コンテンツ解析部が、前記画像解析の結果、異常なしの判定をした前記撮影画像について、前記画像メモリ部から削除するよう機能構成されてなる、エッジノードの構成採用にある。
【００２８】
本発明エッジノードの第６の特徴は、上記本発明エッジノードの第１、第２、第３、第４又は第５の特徴における前記画像メモリ部が、前記バーチャル監視サーバ処理部にて受信した前記撮影画像を、一時的にバッファ、メモリして、当該バーチャル監視サーバ処理部から前記カメラにおける最新の前記撮影画像として読み出し可能な画像バッファメモリ部と、当該画像バッファメモリ部から前記撮影画像を読み出して、撮影された前記時刻に対応させて当該撮影画像を保存し、前記バーチャル監視サーバ処理部から前記カメラにより撮影された前記時刻における前記撮影画像として読み出し可能なコンテンツメモリ部と、を具備してなる、エッジノードの構成採用にある。
【００２９】
本発明エッジノードの第７の特徴は、上記本発明エッジノードの第１、第２、第３、第４、第５又は第６の特徴における前記エッジノードが、前記バーチャル監視サーバ処理部において前記被監視者端末から当該被監視者端末の前記位置情報の測定の要求を受信したときには、当該被監視者端末が具備する電波センサをセンシングすることにより当該位置情報を計測して、当該バーチャル監視サーバ処理部を介して当該位置情報を当該被監視者端末に通知する電波センシング部を具備してなる、エッジノードの構成採用にある。
【００３０】
一方、本発明システム装置においては、ＩＰ網に接続されてそれぞれ仮想サーバを有した複数のエッジノードと、前記エッジノードを介して前記ＩＰ網に接続された監視者端末及び被監視者端末と、前記ＩＰ網の任意の領域に配置されて前記被監視者端末から通知された位置情報を蓄積する位置情報サーバと、前記エッジノードに接続可能に構成されたカメラと、を有して構築されたネットワークシステムであって、前記エッジノードが、上記本発明エッジノードの第１、第２、第３、第４、第５又は第６の特徴におけるエッジノードである、パーソナルコンテンツデリバリシステム装置の構成採用にある。
【００３１】
本発明システム装置の第２の特徴は、上記本発明システム装置の第１の特徴における前記位置情報サーバが、前記被監視者端末から通知された前記位置情報を当該被監視者端末毎に通知された時刻とともに一括蓄積する位置情報メモリ部と、前記カメラの配置情報を蓄積しておくカメラ配置メモリ部と、前記エッジノードを介して前記監視者端末から通知された前記被監視者端末の前記位置情報を前記位置情報メモリ部から読み出し、当該位置情報とともに、当該位置情報に基づき予め設定されたエリア内に配置される前記カメラの前記配置情報を前記カメラ配置メモリ部から抽出して当該エッジノードに通知するメモリ管理部と、を具備してなる、パーソナルコンテンツデリバリシステム装置の構成採用にある。
【００３２】
本発明システム装置の第３の特徴は、上記本発明システム装置の第１又は第２の特徴における前記位置情報サーバが、前記被監視者端末から事前に登録された当該被監視者端末の前記位置情報に基づく前記撮影画像の転送先として１以上の前記監視者端末の指定を保持する転送先メモリ部と、当該転送先メモリ部を内蔵するとともに、前記監視者端末からの前記被監視者端末の前記位置情報の要求を伴う前記アクセスを前記エッジノードから転送し、当該アクセスの認証を、前記転送先メモリ部中から前記転送先として当該監視者端末の登録の有無を確認して、当該監視者端末の登録が存在した場合にのみ当該位置情報サーバへのアクセスを認める認証部と、を具備してなる、パーソナルコンテンツデリバリシステム装置の構成採用にある。
【００３３】
本発明システム装置の第４の特徴は、上記本発明システム装置の第１、第２又は第３の特徴における前記被監視者端末が、ＧＰＳを利用した前記位置情報の測定を行なうＧＰＳセンサを具備してなる、パーソナルコンテンツデリバリシステム装置の構成採用にある。
【００３４】
本発明システム装置の第５の特徴は、上記本発明システム装置の第１、第２、第３又は第４の特徴における前記監視者端末が、前記エッジノードから通知された前記被監視者端末の前記位置情報を予め設定された経路情報と比較し、当該経路情報から外れたときに当該監視者端末を利用するユーザに当該被監視者端末の前記位置情報の異常を通報する機能手段を具備してなる、パーソナルコンテンツデリバリシステム装置の構成採用にある。
【００３５】
本発明システム装置の第６の特徴は、上記本発明システム装置の第１、第２、第３、第４又は第５の特徴における前記被監視者端末が、電波センシングによる電波を受信して、当該被監視者端末の前記位置情報を測定する電波センサを具備してなる、パーソナルコンテンツデリバリシステム装置の構成採用にある。
【００３６】
他方、本発明プログラムの第１の特徴は、共にコンピュータの基本機能を具備するとともに、ＩＰ網に接続されてそれぞれ仮想サーバを有した複数のエッジノードと、当該エッジノードを介して前記ＩＰ網に接続された監視者端末及び被監視者端末と、当該ＩＰ網の任意の領域に配置されて前記被監視者端末から通知された位置情報を蓄積する位置情報サーバと、前記エッジノードに接続可能に構成されたカメラと、を有して構築されたネットワークシステムに適用されるパーソナルコンテンツデリバリ処理プログラムであって、前記被監視者端末に、予め設定された時間毎に、当該被監視者端末の位置情報を測定させる手順と、前記位置情報と当該位置情報を測定した時刻とを前記エッジノードを介して前記位置情報サーバに登録させる手順と、を常に順次実行させて行き、前記監視者端末に、前記仮想サーバに、任意の時刻における前記被監視者端末の前記位置情報の要求を伴うアクセスを実施させる手順を実行させたときには、前記位置情報サーバに、前記エッジノードから転送した当該アクセスの認証を実施させる手順と、当該アクセスが正当なものであった場合に、前記エッジノードに、前記被監視者端末の前記監視者端末から任意に指定された前記時刻における前記位置情報と、当該位置情報に基づき予め設定されたエリア内に含まれる前記カメラの配置情報とを通知させる手順と、前記エッジノードに、前記被監視者端末の前記位置情報と前記カメラの配置情報とを対応させたマッピング情報を作成して前記監視者端末に通知させる手順と、当該監視者端末から当該マッピング情報に基づき任意に指定された前記カメラの指定を受信させる手順と、事前に蓄積した前記カメラの配置情報と当該カメラの前記ＩＰ網におけるＩＰアドレスの対比テーブルに基づき、当該カメラの前記ＩＰアドレスを特定して当該カメラに前記監視者端末から任意に指定された前記時刻における前記撮影画像を要求させる手順と、前記カメラから当該撮影画像を受信して当該撮影画像を前記監視者端末に転送させる手順と、をそれぞれ順次実行させてなる、パーソナルコンテンツデリバリ処理プログラムの構成採用にある。
【００３７】
本発明プログラムの第２の特徴は、上記本発明プログラムの第１の特徴における前記カメラから前記撮影画像を受信して前記撮影画像を前記監視者端末に転送する手順を、前記エッジノードに、前記監視者端末に転送する前記撮影画像を保存させる手順を実行させるとともに、常時、前記エッジノードに保存された前記撮影画像の保存情報をステータス情報として更新、更新した当該ステータス情報を他の前記エッジノードに通知させる手順を実行させておき、前記監視者端末から要求された前記撮影画像が前記ステータス情報から前記他のエッジノードに保存されていることを確認したときには、当該他のエッジノードから当該撮影画像を受信して、当該撮影画像を前記監視者端末に転送させる手順に代替実行されてなる、パーソナルコンテンツデリバリ処理プログラムの構成採用にある。
【発明の効果】
【００３８】
本発明によれば、大規模な映像／画像専用のサーバ、あるいは、映像／画像専用のファイル構成を設備することなく、被監視者の所在が不明な場合においても、監視者の自宅等に設置されたパソコン等の監視者端末から、例えば、外出している被監視者のリアルタイムの撮影画像、及び、任意の過去の撮影画像を検索して取得することが可能となる。
【００３９】
また、本発明では、監視者端末として、例えば、高速データ伝送可能な移動通信端末を用いることにより、監視者は出先からでも何処にいるのかわからない被監視者に関する撮影画像をこの監視者端末を通じて確認することができ、さらに、従来からのネットワーク預かりやサーバ経由の配信ではなく、Ｐ２Ｐ（Peer to Peer）型で１対１そして、１対ｎ（ｎ＝２，３，…）による撮影画像の転送が可能となる。
【００４０】
さらに、被監視者端末に位置情報を計測するためのＧＰＳ（Global Positioning System）センサのほかに、別途無線センサを追加して連携させることで、被監視者端末は内蔵するＧＰＳセンサを機能させた自立した位置情報の計測に加えて、ＧＰＳが機能しない地下街や高層マンションにある被監視者端末の位置情報の特定が可能となり、例えば、被監視者端末を携帯する被監視者に事故等が発生した場合に、一層広い地域での有効な証拠とすることも可能である。
【発明を実施するための最良の形態】
【００４１】
以下、本発明の実施の形態につき、添付図面を参照しつつ、その装置例並びにこれに対応する方法例及びプログラム例を順に挙げて説明する。
【００４２】
（装置例）
図１は、本発明の装置例に係るパーソナルコンテンツデリバリシステム装置のネットワーク構成図であり、一部内部を透視させて当該構成について破線を用いて示している。
【００４３】
同図に示すように、本装置例に係るパーソナルコンテンツデリバリシステム装置αは、インターネット等のＩＰ網Ｎ１に接続されてそれぞれ仮想サーバとして機能するバーチャル監視サーバ処理部１１を有した複数のエッジノード１ａ，１ｂ，１ｃ，…と、エッジノード１ａ，１ｂ，１ｃ，…を介してＩＰ網Ｎ１に接続された、パソコンや移動通信端末等からなる監視者端末２ａ，２ｂとを有する。
【００４４】
また、さらに、パーソナルコンテンツデリバリシステム装置αは、移動通信端末等からなる任意に監視者端末２ａ，２ｂから指定可能な被監視者端末３と、ＩＰ網Ｎ１の任意の領域に配置されて被監視者端末３から通知された位置情報を蓄積する位置情報サーバ４と、エッジノード１ａ，１ｂ，１ｃ，…に接続可能に構成された撮影可能なカメラ５と、を有して構築される。
【００４５】
ここで、監視者端末２ａ，２ｂは、例えば、デスクトップ、ラップトップ型等のパーソナルコンピュータや、例えば、高速データ伝送可能な携帯電話やＰＨＳ（Personal Handyphone System）等の移動可能な移動通信端末を採用することが可能である。
【００４６】
この場合、監視者端末２ｂと被監視者端末３は、例えば、セル方式の携帯電話等で構成されて、最寄のエッジノード１ａ，１ｂ，１ｃ，…と接続するために、移動通信網Ｎ２，Ｎ３を介してネットワーク接続されるとよく、監視者端末２ｂは、最寄の移動通信網Ｎ２とエッジノード１ｂを介してＩＰ網Ｎ１に接続する以外は、監視者端末２ａと同様に機能構成される。
【００４７】
また、監視者端末２ａ，２ｂは、エッジノード１ａ，１ｂ，１ｃ，…から通知された被監視者端末３の位置情報を当該監視者端末２ａ，２ｂ内に予め設定された経路情報と比較し、この経路情報から外れたときに監視者端末２ａ，２ｂを利用するユーザに被監視者端末３の位置情報の異常を、例えば、監視者端末２ａ，２ｂの具備するディスプレイ上の表示、警告音、音声、あるいは振動等により通報する機能手段を具備するとよい。
【００４８】
一方、被監視者端末３は、この被監視者端末３の位置を測定して位置情報を送信するためにＧＰＳあるいはＤＧＰＳ（Differential GPS）等を利用して予め設定された時間毎に位置情報の測定を行なうＧＰＳセンサ３１を具備するとよく、測定した位置情報を最寄のエッジノード１ａ，１ｂ，１ｃ，…のいずれかに通知するよう機能構成される。
【００４９】
さらに、被監視者端末３は、例えば、ＧＰＳサービスの人工衛星の見通しが得られない地下街や高層マンション等においては、位置情報の計測をエッジノード１ａ，１ｂ，１ｃ，…に要求して、エッジノード１ａ，１ｂ，１ｃ，…による電波センシングによる電波を受信して、この被監視者端末３の位置情報を計測するための電波センサ３２を具備しても構わない。
【００５０】
加えて、被監視者端末３は、カメラ５として利用可能なカメラ５に替わるカメラ部３３を具備しても構わず、このとき、カメラ５に加えて、被監視者端末３のカメラ部３３による撮影画像についても監視者端末２ａ，２ｂからアクセス可能となる。
【００５１】
他方、カメラ５は、エッジノード１ａ，１ｂ，１ｃ，…に接続されて、例えば、固定設置あるいは被監視者端末３に内蔵されて、撮影画像を撮影可能な撮影部５１と、撮影部５１による記録された撮影画像を一時的に保持する画像バッファ５２と、接続されたエッジノード１ａ，１ｂ，１ｃ，…及びＩＰ網Ｎ１を介して接続された他のエッジノード１ａ，１ｂ，１ｃ，…とデータ通信を可能とする通信アダプタ５３とを具備して構成される。
【００５２】
次に、図２は、図１に示したエッジノードの機能構成図である。なお、ここではエッジノード１ａについて説明するものの、エッジノード１ｂ，１ｃ，…についてもエッジノード１ａと同様に構成することが可能である。
【００５３】
同図に示すように、エッジノード１ａは、ＩＰ網Ｎ１上の任意の領域に複数配置されて、このＩＰ網Ｎ１と移動通信網Ｎ２，Ｎ３との間のデータ通信を中継転送することにより、監視者端末２ａ，２ｂと、被監視者端末３と、別途接続された撮影画像を出力する、例えば、固定設置された公共用の監視カメラ等のカメラ５とを相互に接続するネットワーク接続部１２を具備する。
【００５４】
加えて、エッジノード１ａは、このネットワーク接続部１２と接続されて監視者端末２ａ，２ｂからの所定のサーバ、例えば、ＩＰ網Ｎ１上における予め設定されたアドレスである「virtual@x.y.z.jp」に対するアクセスをインターセプトする仮想サーバとして機能するバーチャル監視サーバ処理部１１とを有する。
【００５５】
これにより、「virtual@x.y.z.jp」を指定する監視者端末２ａ，２ｂからのアクセスによる接続先は、ＩＰ網Ｎ１上における最寄のエッジノード１ａ，１ｂ，１ｃ，…となり、エッジノード１ａ，１ｂ，１ｃ，…がそれぞれ具備するバーチャル監視サーバ処理部１１は、あたかも同一のサーバであるかのように機能することができる。
【００５６】
また、エッジノード１ａは、位置情報サーバ４から通知された被監視者端末３の時刻毎の位置情報とカメラ５の配置情報とを蓄積する位置情報メモリ部１３と、カメラ５のＩＰ網Ｎ１上における接続／切断に伴うＩＰアドレスの変化を、例えば、ＵＰｎＰ（Universal Plug and Play）やＤＨＣＰ（Dynamic Host Configuration Protocol）等により認識し、具備するカメラアドレステーブル部１４１にこのカメラ５の配置情報とＩＰアドレスとの組を更新可能に格納するステータス管理部１４と、ステータス管理部１４から通知されたＩＰアドレスにより特定するカメラ５の起動を行なうセッション制御部１５とを具備する。
【００５７】
なお、被監視者端末３にカメラ５と代替可能なカメラ部３３を具備した場合、位置情報メモリ部１３は、被監視者端末３の位置情報とカメラ部３３の配置情報とを蓄積して、このとき、位置情報と配置情報とが同一のものとなっても構わない。
【００５８】
ここで、バーチャル監視サーバ処理部１１は、監視者端末２ａ，２ｂから任意の時刻における被監視者端末３の位置情報の要求を伴うアクセスを受信するとともにこのアクセスを位置情報サーバ４に転送して、位置情報サーバ４から被監視者端末３の当該時刻における位置情報とカメラ５及びカメラ部３３の配置情報とを受信し位置情報メモリ部１３に蓄積して、この位置情報と配置情報とを対応させたマッピング情報を作成して監視者端末２ａ，２ｂに通知し、監視者端末２ａ，２ｂから受信したマッピング情報に基づくカメラ５又はカメラ部３３の指定に従い、セッション制御部１５に基づき受信した撮影画像を接続された画像メモリ部１６に保存し、この画像メモリ部１６の撮影画像を監視者端末２ａ，２ｂに転送するよう機能構成される。
【００５９】
この画像メモリ部１６に、監視者端末２ａ，２ｂに所要の撮影画像を転送する際に、撮影の時刻毎に撮影画像を保存することにより、監視者端末２ａ，２ｂは、例えば、撮影画像保存可能な大容量の記録媒体（図示せず）を具備した監視者端末２ａは、別途具備するディスプレイに撮影画像を表示するにあたり、この記録媒体に保存してからオンデマンド配信する一方、ハードウェアに制限のある監視者端末２ｂは、撮影画像を監視者端末２ｂ内に記録せずに、画像メモリ部１６に保存された画像を監視者端末２ｂ内に保存せずにライブ配信することが可能となる。
【００６０】
また、ステータス管理部１４は、バーチャル監視サーバ処理部１１における処理を監視し、画像メモリ部１６に撮影画像が保存されたときには、この撮影画像毎に対応する撮影の時刻とカメラ５又はカメラ部３３の配置とを含むステータス情報を保持するとともに、他のエッジノード１ｂ，１ｃ…に更新したステータス情報を通知する一方、この他のエッジノード１ｂ，１ｃ，…からステータス情報を受信したときには、他のエッジノード１ｂ，１ｃ，…毎にこのステータス情報を保持するよう機能構成される。
【００６１】
これにより、撮影中のカメラ部３３を具備する被監視者端末３が、例えば、移動通信網Ｎ３からＮ２に移動した際にも、エッジノード１ａ，１ｂ，１ｃ，…の連携したステータス情報の更新により接続するエッジノード１ｃが最寄のエッジノード１ｂに切替えられ、リアルタイムの撮影画像の継続性が維持される。
【００６２】
一方、セッション制御部１５は、バーチャル監視サーバ処理部１１において監視者端末２ａ，２ｂから撮影画像の要求を伴うアクセスを受信したときには、ステータス管理部１４からこの撮影画像に対応するステータス情報を確認して、このステータス情報に基づき撮影画像を保存する他のエッジノード１ｂ，１ｃ，…から監視者端末２ａ，２ｂへの転送を可能に撮影画像取得におけるセッションを制御するよう機能構成されるとよい。
【００６３】
さらに、ステータス管理部１４は、カメラ５のＩＰアドレスを認識したときに、カメラアドレステーブル部１４１の更新とともに、他のエッジノード１ｂ，１ｃ，…と位置情報サーバ４にこのＩＰアドレスの更新を通知する一方、他のエッジノード１ｂ，１ｃ，…からＩＰアドレスが通知されたときには、接続するカメラアドレステーブル部１４１を更新可能に機能構成されるとよい。
【００６４】
また、エッジノード１ａは、セッション制御部１５に、監視者端末２ａ，２ｂから事前に被監視者端末３に基づく撮影画像中の異常事態通知が設定されたときに、セッション制御部１５から異常事態解析命令を受信し、画像メモリ部１６内の撮影画像に対して所定の画像解析を行い、この画像解析により撮影画像中から事前に設定された異常を検出するコンテンツ解析部１７を具備するとよい。
【００６５】
このとき、セッション制御部１５は、コンテンツ解析部１７にて予め監視者端末２ａ，２ｂから設定された異常を検出したときには、バーチャル監視サーバ処理部１１を介して監視者端末２ａ，２ｂにこの異常の検出を、例えば、メール等を用いて通知するよう機能構成されるとよく、加えて、コンテンツ解析部１７は、画像解析の結果、異常なしの判定をした撮影画像について、画像メモリ部１６から削除するよう機能構成されても構わない。
【００６６】
このとき、例えば、被監視者端末３が、カメラ５の撮影可能な地域から、カメラ５と同等の機能を有する他のカメラ（図示せず）の撮影可能なカメラ５の撮影可能な地域と隣接する撮影地域に移動した場合、画像メモリ部１６にはカメラ５と他のカメラにより撮影された撮影画像が保存されることになる。ここで、画像メモリ部１６の撮影画像の削除は、コンテンツ解析部１７により、異常なしとして判定した時間的に古いものであるカメラ５による撮影画像を削除するようにするとよい。
【００６７】
さらに、前記画像メモリ部１６は、バーチャル監視サーバ処理部１１にて受信した撮影画像を、一時的にバッファ、メモリして、バーチャル監視サーバ処理部１１からカメラ５又はカメラ部３３における最新の撮影画像として、例えば、リアルタイムの撮影画像を読み出し可能な画像バッファメモリ部１６１と、画像バッファメモリ部１６１から撮影画像を読み出して、撮影された時刻に対応させてこの撮影画像を保存し、バーチャル監視サーバ処理部１１からカメラ５又はカメラ部３３における過去のある時刻における撮影画像として読み出し可能なコンテンツメモリ部１６２と、を具備するとよい。
【００６８】
加えて、エッジノード１ａは、バーチャル監視サーバ処理部１１において被監視者端末３からこの被監視者端末３の位置情報の測定の要求を受信したときには、被監視者端末３が具備する電波センサ３２をセンシングすることにより位置情報を計測して、バーチャル監視サーバ処理部１１を介して位置情報を被監視者端末３に通知する電波センシング部１８を接続具備しても構わない。
【００６９】
他に、エッジノード１ａは、バーチャル監視サーバ処理部１１から監視者端末２ａ，２ｂ、被監視者端末３及びカメラ５のそれぞれにアクセスするにあたり、予め任意に設定されたフィルタに基づきアクセスの転送先を識別して、設定された転送先に対するアクセスを遮断してファイアウォールとして機能する転送先フィルタ処理部１９と、ネットワーク接続部１２における監視者端末２ａ，２ｂ毎のトラヒック量を監視して、このトラヒック量に基づき課金を行い、別途図示しない課金に係る情報を出力可能な課金処理部２０とを具備するようにしても構わない。
【００７０】
続いて、図３は、図１に示した位置情報サーバの機能構成図である。
【００７１】
同図に示すように、本装置例に係る位置情報サーバ４は、被監視者端末３から通知された位置情報を被監視者端末３毎に通知された時刻とともに一括蓄積する位置情報メモリ部４１と、カメラ５及びカメラ部３３の配置情報を蓄積しておくカメラ配置メモリ部４２とを具備する。
【００７２】
さらに位置情報サーバ４は、エッジノード１ａ，１ｂ，１ｃ，…を介して監視者端末２ａ，２ｂから通知された被監視者端末３の位置情報を位置情報メモリ部４１から読み出し、この位置情報とともに、位置情報に基づき予め設定されたエリア内に配置されるカメラ５及びカメラ部３３の配置情報をカメラ配置メモリ部４２から抽出してこのエッジノード１ａ，１ｂ，１ｃ，…に通知するメモリ管理部４３を具備して構成される。
【００７３】
また、位置情報サーバ４は、被監視者端末３から事前に登録されたこの被監視者端末３の位置情報に基づく撮影画像の転送先として１以上の監視者端末２ａ，２ｂの指定を保持する転送先メモリ部４４と、監視者端末２ａ，２ｂからの被監視者端末３の位置情報の要求を伴うアクセスをエッジノード１ａ，１ｂ，１ｃ，…から転送し、このアクセスの認証を、転送先メモリ部４４中から転送先としてこの監視者端末２ａ，２ｂの登録の有無を確認して、監視者端末２ａ，２ｂの登録が存在した場合にのみ位置情報サーバ４へのアクセスを認める認証部４５と、を具備するとよい。
【００７４】
したがって、このとき認証部４５は、監視者端末２ａ，２ｂからのバーチャル監視サーバ１１へのアクセスの正当性を確認した場合、メモリ管理部４３に通知して、メモリ管理部４３においてこのアクセスに基づく被監視者端末３の位置情報とカメラ５及びカメラ部３３の配置情報とを抽出するよう機能構成される。
【００７５】
また、位置情報サーバ４は、ＩＰ網Ｎ１に接続してメモリ管理部４３と認証部４５と、エッジノード１ａ，１ｂ，１ｃ，…との間でデータ通信可能とするネットワーク接続部４６を具備するとよい。
【００７６】
（方法例）
続いて、以上のように構成されたパーソナルコンテンツデリバリシステム装置αにより実施されるパーソナルコンテンツデリバリ方法の具体例を、当該パーソナルコンテンツデリバリシステム装置αの動作の態様に即して説明する。
【００７７】
まず、図４は、本発明の方法例に係るパーソナルコンテンツデリバリシステム装置において、被監視者端末の位置情報を位置情報サーバに登録する際の一動作例を説明するためのシーケンス図である。
【００７８】
同図に示すように、パーソナルデリバリシステム装置αは、予め設定された時間毎に、被監視者端末３において自被監視者端末３の位置情報を、例えば、ＧＰＳセンサ３１等により測定して（ＳＴ１）、この位置情報と、位置情報を測定した時刻とを最寄のエッジノード１ａ，１ｂ，１ｃ，…を介して転送して（ＳＴ２，ＳＴ３）、位置情報サーバ４の位置情報メモリ部１３に登録する（ＳＴ４）過程を随時実施しておく。
【００７９】
次に、図５は、本発明の方法例に係るパーソナルコンテンツデリバリシステム装置において、監視者端末からのアクセスに基づきこの監視者端末に被監視者端末の撮影画像を転送する際の一動作例を説明するためのシーケンス図である。
【００８０】
ここで、例えば、カメラ５は、常時撮影を行い（ＳＴ１０）、撮影画像を画像バッファ５２に撮影時刻とともに関連させて保持しておくものとして説明し、監視者端末２ａ，２ｂとして、ここでは監視者端末２ａからのアクセスに基づき説明するものの、監視者端末２ｂからのアクセスについても、図５に示したエッジノード１ａに替えて、移動通信網Ｎ２を介して接続するエッジノード１ｂとすることで、同様の過程により実施するものである。
【００８１】
同図に示すように、パーソナルデリバリシステム装置αは、監視者端末２ａにおいて、例えば、ＩＰ網Ｎ１上における仮想サーバのアドレスである「virtual@x.y.z.jp」にアクセスして、このアクセスを、例えば、ＩＰ網Ｎ１上の経路中で最寄に配置されたエッジノード１ａのバーチャル監視サーバ処理部１１でインターセプトすることにより、監視者端末２ａから、バーチャル監視サーバ処理部１１に任意の時刻における被監視者端末３の撮影画像の要求を伴うアクセスを行なう（ＳＴ１１）過程を実施する。
【００８２】
次に、ＳＴ１１の監視者端末２ａからの例えば、「virtual@x.y.z.jp」に対するアクセスをバーチャル監視処理部１１でインターセプトすることにより、監視者端末２ａからのアクセスを受けたときには、位置情報サーバ４において、バーチャル監視サーバ処理部１１からこのアクセスを転送して（ＳＴ１２）、アクセスの認証を行う（ＳＴ１３）過程を実施する。
【００８３】
続いて、ＳＴ１３におけるアクセスの認証により監視者端末２ａからのアクセスが許可されないものであったときには、例えば、認証の失敗を監視者端末２ａにエッジノード１ａを介して通知し処理を終了するものであるが、一方、アクセスが正当なものであったときに、エッジノード１ａに、被監視者端末３の指定の時刻における位置情報と、この位置情報に基づき予め設定されたエリア内に含まれるカメラ５及びカメラ部３３の配置情報とを通知する（ＳＴ１４）過程を実施する。
【００８４】
続いて、エッジノード１ａにおいて、被監視者端末３の位置情報と、例えば、この位置情報を含む予め設定された範囲内に配置されたカメラ５の配置情報とを対応させたマッピング情報を作成して監視者端末２ａに通知する（ＳＴ１５）過程と、折り返し、この監視者端末２ａからマッピング情報に基づき任意に指定されたカメラ５あるいはカメラ部３３の指定を受信する（ＳＴ１６）過程とを実施する。
【００８５】
引続き、エッジノード１ａにおいて、カメラアドレステーブル部１４１内に事前に蓄積したカメラ５の配置情報とカメラ５のＩＰ網Ｎ１におけるＩＰアドレスの対比テーブルに基づき、このカメラ５のＩＰアドレスを特定して（ＳＴ１７）、このＩＰアドレスに基づき、例えば、ＩＰ網Ｎ１を介して、エッジノード１ｃに接続されたカメラ５に指定の時刻における撮影画像を要求する（ＳＴ１８）過程を実施する。
【００８６】
ＳＴ１８によりカメラ５から転送した（ＳＴ１９）撮影画像を、エッジノード１ｃとエッジノード１ａとを介して監視者端末２ａで受信する（ＳＴ２０，２１）ことにより、監視者端末２ａにおいて、被監視者端末３の位置情報に基づく撮影画像を表示する（ＳＴ２２）ことが可能となる。このとき、ＳＴ２０のエッジノード１ｃはカメラ５から撮影画像を中継転送するものでよいが、ＳＴ２１のエッジノード１ａは監視者端末２ａに転送する画像を画像メモリ部１６にて一度保存してから監視者端末２ａに転送するようにするとよい。
【００８７】
なお、ＳＴ１５により監視者端末２ａ，２ｂに通知されたマッピング情報は、被監視者端末３の監視者端末２ａ，２ｂによる指定時刻における位置情報を含むものであるから、監視者端末２ａ，２ｂにおいてこの位置情報をメモリすることにより被監視者端末３の移動経路を追跡することも可能となる。
【００８８】
このとき、監視者端末２ａ,２ｂ内に予め被監視者端末３の予定された経路情報が画像パターン等により設定された場合には、例えば、ＳＴ１５においてマッピング情報を受信したときに、被監視者端末３の位置情報とこの経路情報の画像パターンとを比較して、位置情報が画像パターンから外れたたきに被監視者の位置に異常が発生したとして監視者端末２ａ，２ｂに位置情報の異常を通報するようにしてもよい。
【００８９】
ここで、監視者端末２ａ，２ｂにおいて、改めてＳＴ１６の被監視者端末３のある時刻における撮影画像の要求を行なうことにより、監視者端末２ａ，２ｂには、指定時刻における被監視者端末３の位置情報に基づく撮影画像を取得することができ、例えば、監視者端末２ａ，２ｂを利用するユーザが被監視者端末３の移動経路をもとに異常を感じたときに、監視者端末３によりその当時の被監視者端末３を携帯する被監視者を撮影する撮影画像を取得することで、その時点における被監視者を撮影した撮影画像をモニタすることができる。
【００９０】
ここで、図６は、図５に示した監視者端末の認証の一動作例を説明するためのシーケンス図である。
【００９１】
ＳＴ１３の位置情報サーバ４におけるバーチャル仮想サーバ処理部１１から転送したアクセスの認証を行う過程は、予め、位置情報サーバ４の転送先メモリ部４４に、被監視者端末３から、被監視者端末３に基づく撮影画像の転送先として１以上の監視者端末２ａ，２ｂを、例えば、エッジノード１ｃを介して登録する（ＳＴ１３ａ）過程を実施しておいても構わない。
【００９２】
ＳＴ１３ａにより被監視者端末３からこの被監視者端末３に基づく撮影画像の転送先として許可する監視者端末２ａ，２ｂが設定されることにより、ＳＴ１３において、被監視者端末３を指定してアクセスを行なった監視者端末２ａ，２ｂが転送先メモリ部４４に転送先として登録されているか否かを認証部４５にて確認する過程を実施するとよい。
【００９３】
引続き、図７は、本発明の方法例に係るエッジノードにて保持するステータス情報の更新を説明するためのシーケンス図である。
【００９４】
同図に示すように、例えば、カメラ５の接続／切断によるカメラ５のＩＰアドレスの認識、あるいは、図５に示したＳＴ２１のエッジノード１ａから監視者端末２ａに対して所望の撮影画像を転送する際の画像メモリ部１６への撮影画像の保存を実施した（ＳＴ３１）際に、エッジノード１ａ内に具備するステータス管理部１４は、カメラ５のＩＰアドレスの更新情報やエッジノード１ａ内にて保持する撮影画像の、例えば、撮影された時刻、カメラ５の配置情報、このカメラ５の接続されたエッジノード１ｃのアドレス等をステータス情報として随時更新可能に保持するとともに他のエッジノード１ｂ，１ｃ，…に通知する（ＳＴ３２）。
【００９５】
このＳＴ３２により更新されたステータス情報を受信したエッジノード１ｂ，１ｃは、それぞれステータス管理部１４においてステータス情報を更新する（ＳＴ３３）ことにより、エッジノード１ａ，１ｂ，１ｃ，…は、それぞれのエッジノード１ａ，１ｂ，１ｃ，…内に接続されたカメラ５を特定可能となり、また、ＳＴ１１にて監視者端末２ａ，２ｂから要求された撮影画像を他のエッジノード１ａ，１ｂ，１ｃ，…から取得することも可能となる。
【００９６】
これにより、撮影中のカメラ部３３を具備する被監視者端末３が、例えば、移動通信網Ｎ３からＮ２に移動した際にも、エッジノード１ａ，１ｂ，１ｃ，…のＳＴ３１〜ＳＴ３３に亙る一連の連携したステータス情報の更新により、接続するエッジノード１ｃが最寄のエッジノード１ｂに切替えられ、リアルタイムの撮影画像の継続性を維持することが可能となる。
【００９７】
ここで、図８は、エッジノードが図７に示したステータス情報を保持した場合のパーソナルコンテンツデリバリシステム装置において、監視者端末から要求された撮影画像の所在をステータス情報に基づき特定する際の一動作例を説明するためのシーケンス図である。
【００９８】
同図に示すように、図５に示したＳＴ１１〜ＳＴ１４を実施した後に、エッジノード１ａにおいて、監視者端末２ａにより要求された撮影画像の所在をステータス情報に基づき確認して（ＳＴ１７ａ）、ステータス情報により他のエッジノード１ｂ，１ｃ，…に保存されるものでなかった場合は、図５に示したＳＴ１５に続くものとする。
【００９９】
一方、ＳＴ１７ａにおいて、ステータス情報により、例えば、他のエッジノード１ｃに当該撮影画像が保存されていることが確認されたときには、ＳＴ１８と同様にエッジノード１ｃに撮影画像を要求して、エッジノード１ｃから保存された撮影画像の転送を行い（ＳＴ１９ａ）、続いて、エッジノード１ａにおいて、図５に示したＳＴ２１の撮影画像の転送を行うことにより、監視者端末２ａにおいてＳＴ２２の撮影画像の表示を行なうようにする。
【０１００】
一方、図９は、図５に示したエッジノードから監視者端末に撮影画像を転送する際に、当該撮影画像に対する画像解析の実施を説明するためのシーケンス図である。
【０１０１】
同図に示すように、図５のＳＴ２１のエッジノード１ａからの監視者端末２ａへの撮影画像の転送は、予め、監視者端末２ａからエッジノード１ａのセッション制御部１５に被監視者端末３に基づく撮影画像中の異常事態通知を行うよう設定しておき（ＳＴ２１ａ）、セッション制御部１５の命令によりコンテンツ解析部が画像メモリ部１６内の監視者端末２ａに転送する撮影画像に対して所定の画像解析を行う（ＳＴ２１ｂ）過程を実施する。
【０１０２】
引続き、この画像解析により撮影画像中から事前に設定された異常を検出する（ＳＴ２１ｃ）過程とを順次実施し、ＳＴ２１ｃにて撮影画像に異常を検出したときには、異常の検出を監視者端末２ａに、例えば、異常を検出した撮影画像ともに、メール等により通知する（ＳＴ２１ｄ）過程を実施するようにしても構わない。
【０１０３】
このとき、コンテンツ解析部１７例えば、被監視者端末３の最新のリアルタイムに転送する撮影画像に対して画像解析を実施する場合は、画像バッファメモリ部１６１に対して所定の画像解析を実施して、一方、監視者端末２ａにより指定された過去のある時刻における撮影画像に対して画像解析を行う場合は、コンテンツメモリ部１６２に保存する撮影画像に対して画像解析を行うとよい。
【０１０４】
また、ＳＴ２１ｄにより撮影画像の異常を受信した監視者端末２ａ，２ｂは、具備するディスプレイ上での表示や、警報、音声、振動等により監視者端末２ａ，２ｂを利用するユーザにこの撮影画像の異常を通報するとよい。
【０１０５】
引続き、図１０は、被監視者端末が電波センサを具備した場合のパーソナルコンテンツシステム装置における、図４に示した位置情報を計測する際の一動作例を説明するためのシーケンス図である。
【０１０６】
同図に示すように、図４に示した被監視者端末３のＳＴ１における位置計測の後に、例えば、ＧＰＳセンサ３１による位置情報の取得の成否を判定し（ＳＴ１ａ）、位置情報が取得できていた場合は、図４に示したＳＴ２のエッジノード１ｃへの通知を行う。
【０１０７】
一方、ＳＴ１ａにおいて、例えば、地下街や、高層マンション等によりＧＰＳのサービスが十分に利用できず、位置情報の取得に失敗した場合には、最寄のエッジノード１ｃに対して、電波センシングの要求をし（ＳＴ１ｂ）、エッジノード１ｃは、電波センシング部１８により被監視者端末３の内蔵する電波センサ３２をセンシングすることにより、位置情報の計測を行なう（ＳＴ１ｃ）。
【０１０８】
引続き、エッジノード１ｃは、ＳＴ１ｃの実施により得た被監視者端末３の位置情報を被監視者端末３に通知して（ＳＴ１ｄ）、位置情報を取得した被監視者端末３は、以降、図４に示したＳＴ２以下の手法を実施するとよい。
【０１０９】
したがって、監視者端末２ａ，２ｂは、被監視者端末３を携帯する被監視者の所在が不明な場合においても、カメラ５が公共用の固定設置されたものであった場合は、被監視者端末３から通知された位置情報をもとにカメラ５を指定して所望の地域を監視することが可能となる。
【０１１０】
また、被監視者端末３に、カメラ５と代替可能なカメラ部３３を具備した場合には、カメラ５に加えて、カメラ部３３により撮影した撮影画像に対しても同様にしてアクセス可能であり、被監視者端末３から予めアクセス可能な監視者端末２ａ，２ｂを転送先として設定可能なものであることから、第三者による位置情報や撮影画像の取得等に対してセキュリティを確保することが可能である。
【０１１１】
さらに、被監視者端末３は、例えば、地下街や高層マンション等にいるためにＧＰＳサービス等を利用して位置情報を測定できない場合においても、エッジノード１ａ，１ｂ，１ｃ，…に接続具備された電波センシング部１８により正確な位置情報の取得が可能となる。
【０１１２】
（プログラム例）
以上の装置例及び方法例の説明から明らかなように、本発明における複数のエッジノード１ａ，１ｂ，１ｃ，…、監視者端末２ａ，２ｂ、監視者端末３、位置情報サーバ４は、共にコンピュータの基本機能を具備しているため、本発明で実現しようとする所要の機能は、ソフトウェアプログラムにより構成することができる。
【０１１３】
即ち、当該プログラムを構成するに際しては、まず、被監視者端末３に、予め設定された時間毎に、被監視者端末３の位置情報を測定させる手順と、位置情報とこの位置情報を測定した時刻とをエッジノード１ａ，１ｂ，１ｃ，…を介して位置情報サーバ４に登録させる手順と、をから常に順次実行させて行く。
【０１１４】
ここで、例えば、監視者端末２ａに、バーチャル監視サーバ処理部１１に、任意の時刻における被監視者端末３の位置情報の要求を伴うアクセスを実施させる手順を実行させたときには、位置情報サーバ４に、例えば、エッジノード１ａから転送したアクセスの認証を実施させる手順と、このアクセスが正当なものであった場合に、エッジノード１ａに、被監視者端末３の監視者端末２ａにより指定された時刻における位置情報と、この位置情報に基づき予め設定されたエリア内に含まれるカメラ５の配置情報とを通知させる手順とを順次実行させる。
【０１１５】
続いて、エッジノード１ａ，１ｂ，１ｃ，…に、被監視者端末３の位置情報とカメラ５の配置情報とを対応させたマッピング情報を作成して監視者端末２ａに通知させる手順と、この監視者端末２ａからマッピング情報に基づき任意に指定されたカメラ５の指定を受信させる手順を実行させる。
【０１１６】
引続き、エッジノード１ａ，１ｂ，１ｃ，…に、事前に蓄積したカメラ５の配置情報とこのカメラ５のＩＰ網Ｎ１におけるＩＰアドレスの対比テーブルに基づき、カメラ５のＩＰアドレスを特定してカメラ５に監視者端末２ａにより指定された時刻における撮影画像を要求させる手順と、カメラ５から撮影画像を受信してこの撮影画像を監視者端末２ａに転送させる手順と、をそれぞれ順次実行させる。
【０１１７】
なお、エッジノード１ａ，１ｂ，１ｃ，…に、監視者端末２ａに転送する撮影画像を保存させる手順を実行させるとともに、常時、エッジノード１ａ，１ｂ，１ｃ，…に保存された撮影画像の保存情報をステータス情報として更新、更新したステータス情報を他のエッジノード１ａ，１ｂ，１ｃ，…に通知させる手順を実行させておいても構わない。
【０１１８】
これにより、カメラ５から撮影画像を受信してこの撮影画像を監視者端末２ａに転送する手順は、例えば、監視者端末２ａから要求された撮影画像がステータス情報から他のエッジノード１ａ，１ｂ，１ｃ，…のいずれかに保存されていることを確認したときには、この他のエッジノード１ａ，１ｂ，１ｃ，…のいずれかから撮影画像を受信して、この撮影画像を監視者端末２ａに転送させる手順に代替実行可能となる。
【０１１９】
以上、本発明の実施形態につき、その装置例及びこれに対応する方法例、プログラム例を挙げて説明したが、本発明は、必ずしも上述した手段、手法及び手順にのみ限定されるものではなく、前述の効果を有する範囲内において、随時、変更実施することが可能なものである。
【０１２０】
例えば、カメラ５を、空中浮遊の中継センタに設置された超望遠レンズを備えた固定カメラとして、被監視者端末３を携帯する被監視者の地上の位置情報にこのカメラの焦点を合わせることにより、地表面にいる被監視者であれば、多数の地表面に固定設置されたカメラ５なしで、撮影画像を取得することが可能となり、より簡単に広域の撮影画像を取得することができる。
【図面の簡単な説明】
【０１２１】
【図１】本発明の装置例に係るパーソナルコンテンツデリバリシステム装置のネットワーク構成図である。
【図２】同上したエッジノードの機能構成図である。
【図３】同上した位置情報サーバの機能構成図である。
【図４】本発明の方法例に係るパーソナルコンテンツデリバリシステム装置において、被監視者端末の位置情報を位置情報サーバに登録する際の一動作例を説明するためのシーケンス図である。
【図５】本発明の方法例に係るパーソナルコンテンツデリバリシステム装置において、監視者端末からのアクセスに基づきこの監視者端末に被監視者端末の撮影画像を転送する際の一動作例を説明するためのシーケンス図である。
【図６】同上した監視者端末の認証の一動作例を説明するためのシーケンス図である。
【図７】本発明の方法例に係るエッジノードにて保持するステータス情報の更新を説明するためのシーケンス図である。
【図８】エッジノードが同上したステータス情報を保持した場合のパーソナルコンテンツデリバリシステム装置において、監視者端末から要求された撮影画像の所在をステータス情報に基づき特定する際の一動作例を説明するためのシーケンス図である。
【図９】同上したエッジノードから監視者端末に撮影画像を転送する際に、当該撮影画像に対する画像解析の実施を説明するためのシーケンス図である。
【図１０】被監視者端末が電波センサを具備した場合のパーソナルコンテンツシステム装置における、図４に示した位置情報を計測する際の一動作例を説明するためのシーケンス図である。
【符号の説明】
【０１２２】
α…パーソナルコンテンツデリバリシステム装置
Ｎ１…ＩＰ網
Ｎ２，Ｎ２…移動通信網
１ａ，１ｂ，１ｃ…エッジノード
１１…バーチャル監視サーバ処理部
１２…ネットワーク接続部
１３…位置情報メモリ部
１４…ステータス管理部
１４１…カメラアドレステーブル部
１５…セッション制御部
１６…画像メモリ部
１６１…画像バッファメモリ部
１６２…コンテンツメモリ部
１７…コンテンツ解析部
１８…電波センシング部
１９…転送先フィルタ部
２０…課金処理部
２ａ，２ｂ…監視者端末
３…被監視者端末
３１…ＧＰＳセンサ
３２…電波センサ
３３…カメラ部
４…位置情報サーバ
４１…位置情報メモリ部
４２…カメラ配置メモリ部
４３…メモリ管理部
４４…転送先メモリ部
４５…認証部
４６…ネットワーク接続部
５…カメラ
５１…撮影部
５２…画像バッファ
５３…通信アダプタ
【図１】
2005165952.tif 000003
【図２】
2005165952.tif 000004
【図３】
2005165952.tif 000005
【図４】
2005165952.tif 000006
【図５】
2005165952.tif 000007
【図６】
2005165952.tif 000008
【図７】
2005165952.tif 000009
【図８】
2005165952.tif 000010
【図９】
2005165952.tif 000011
【図１０】
2005165952.tif 000012